(57)【要約】【課題】ランチジャーにおいて、デザイン性に優れたものとする。【解決手段】ランチジャー１は、断熱構造を有し平面視形状が円形の上部開口２０を有する容器本体２と、容器本体２の上部開口２０を施蓋する蓋本体３と、容器本体２内に収納される内容器４と、を備える。蓋本体３は、湾曲した上蓋部３１と、上蓋部３１から下方に延設され容器本体２と内容器４との間に差し込まれる筒状部３２と、を有し、容器本体２及び蓋本体３は、容器本体４の内周面及び筒状部３２の外周面に夫々設けられたヘリコイド２３、２４により螺合する。【選択図】図１
2022000387.tif 000002
【特許請求の範囲】
【請求項１】
断熱構造を有し平面視形状が円形の上部開口を有する容器本体と、前記容器本体の上部開口を施蓋する蓋本体と、前記容器本体内に収納される内容器と、を備えたランチジャーであって、
前記蓋本体は、湾曲した上蓋部と、前記上蓋部から下方に延設され前記容器本体と前記内容器との間に差し込まれる筒状部と、を有し、
前記容器本体及び前記蓋本体は、前記容器本体の内周面及び前記筒状部の外周面に夫々設けられたヘリコイドにより螺合することを特徴とするランチジャー。
【請求項２】
前記容器本体は、前記内容器を前記容器本体の底面から間隔を開けた位置で支持する支持枠を有し、
前記内容器は、上部開口を有する内容器本体と、前記内容器本体を施蓋する内蓋と、前記内容器本体の外周面に設けられ前記支持枠に支持される鍔状部と、を有することを特徴とする請求項１に記載のランチジャー。
【請求項３】
前記内容器が前記容器本体に収納された状態で前記蓋本体が前記容器本体に施蓋されたとき、前記筒状部の下端部が、前記鍔状部の上縁に当接することを特徴とする請求項２に記載のランチジャー。
【請求項４】
前記内容器が前記容器本体に収納された状態で前記蓋本体が前記容器本体に施蓋されたとき、前記蓋本体と前記内蓋との間に収容空間が設けられることを特徴とする請求項２又は請求項３に記載のランチジャー。
【請求項５】
前記蓋本体は、前記上蓋部と一体成型された持ち手部を有し、
前記持ち手部は、正面視で円弧形状であり、該持ち手部の側面が、前記上蓋部の側面と連続していることを特徴とする請求項１乃至請求項４のいずれか一項に記載のランチジャー。
【発明の詳細な説明】
【技術分野】
【０００１】
本発明は、断熱構造を有する容器本体と、容器本体の上部開口を施蓋する蓋本体とを備えたランチジャーに関する。
【背景技術】
【０００２】
ランチジャーといった食品用保温容器は、ステンレス製の真空二重壁を有する容器本体に、蓋本体を施蓋することにより、密閉された保存空間に米飯等の食品を保温状態で保存することができる。また、一般的なランチジャーは、容器本体内に惣菜等の米飯以外の食品を保存する別の容器が収容可能とされている。
【０００３】
この種のランチジャーとしては、容器本体の上部開口に対して蓋本体が被さるように施蓋されるものが一般的であり、本体容器の上部開口と、蓋本体の下部とに、夫々螺旋状のネジきり（ヘリコイド）が設けられ、容器本体と蓋本体とを螺合させることで、容器本体を密閉状態に施蓋する（例えば、特許文献１参照）。
【０００４】
上記のようなヘリコイドは、例えば、容器本体では、筒状の上部開口の外周面に設けられて、蓋本体では、側面部の内周面に設けられている。容器本体の上部開口は、容器本体の主要部に比べて小径となっており、また、蓋本体の外径が容器本体の主要部の外径と概ね等しく、容器本体に蓋本体を施蓋したとき、容器本体の主要部の外周面と蓋本体の側面部の外周面とが、概ね連続する外周面となる。
【先行技術文献】
【特許文献】
【０００５】
【特許文献１】特開２０１３−２２７０３４号公報
【発明の概要】
【発明が解決しようとする課題】
【０００６】
ところで、保温容器としての密閉性を得るために、ヘリコイドが設けられる蓋の内周面又は容器の外周面は、相応の高さを有する鉛直面である必要がある。上記引用文献１に記載のランチジャーのように、全体的な外観が円筒形状であれば、ヘリコイドを設けるための鉛直面が十分に存在する。
【０００７】
しかしながら、蓋本体の外観は、需要者の目に留まり易い部分であり、需要者にとって魅力的なデザインであることが望まれる。ところが、上記のような構成では、単調なデザインの蓋本体の側面部が、外観上、大きな領域を占めており、例えば、蓋本体が丸みの帯びるように湾曲したような、優美なデザインを採用することは困難である。
【０００８】
本発明は、上記課題を解決するものであり、デザイン性に優れたランチジャーを提供することを目的とする。
【課題を解決するための手段】
【０００９】
本発明は、断熱構造を有し平面視形状が円形の上部開口を有する容器本体と、前記容器本体の上部開口を施蓋する蓋本体と、前記容器本体内に収納される内容器と、を備えたランチジャーであって、前記蓋本体は、湾曲した上蓋部と、前記上蓋部から下方に延設され前記容器本体と前記内容器との間に差し込まれる筒状部と、を有し、前記容器本体及び前記蓋本体は、前記容器本体の内周面及び前記筒状部の外周面に夫々設けられたヘリコイドにより螺合することを特徴とする。
【００１０】
上記ランチジャーにおいて、前記容器本体は、前記内容器を前記容器本体の底面から間隔を開けた位置で支持する支持枠を有し、前記内容器は、上部開口を有する内容器本体と、前記内容器本体を施蓋する内蓋と、前記内容器本体の外周面に設けられ前記支持枠に支持される鍔状部と、を有することが好ましい。
【００１１】
上記ランチジャーにおいて、前記内容器が前記容器本体に収納された状態で前記蓋本体が前記容器本体に施蓋されたとき、前記筒状部の下端部が、前記鍔状部の上縁に当接することが好ましい。
【００１２】
上記ランチジャーにおいて、前記内容器が前記容器本体に収納された状態で前記蓋本体が前記容器本体に施蓋されたとき、前記蓋本体と前記内蓋との間に収容空間が設けられることが好ましい。
【００１３】
上記ランチジャーにおいて、前記蓋本体は、前記上蓋部と一体成型された持ち手部を有し、前記持ち手部は、正面視で円弧形状であり、該持ち手部の側面が、前記上蓋部の側面と連続していることが好ましい。
【発明の効果】
【００１４】
本発明によれば、蓋本体を容器本体に螺合させるためのヘリコイドが筒状部に設けられており、筒状部は、容器本体内に差し込まれる。そのため、容器本体に蓋本体を施蓋した際に、蓋本体の筒状部は露出せず、湾曲した上蓋部が外観に現れる。上蓋部には、ヘリコイドを設けないので、丸みを帯びた優美な湾曲面を造形することができ、デザイン性の高いランチジャーを得ることができる。
【図面の簡単な説明】
【００１５】
【図１】（ａ）は本発明の実施形態に係るランチジャーの斜視図、（ｂ）は蓋本体、内容器、容器本体を夫々分離した斜視図。
【図２】（ａ）は上記ランチジャーの正面図、（ｂ）は側面図、（ｃ）は平面図、（ｄ）は底面図。
【図３】（ａ）は同ランチジャーの蓋本体の正面図、（ｂ）は（ａ）に対応した断面図。
【図４】（ａ）は上記ランチジャーの内容器の正面図、（ｂ）は（ａ）に対応した断面図。
【図５】（ａ）は上記ランチジャーの容器本体の正面図、（ｂ）は（ａ）に対応した断面図。
【図６】上記ランチジャーの側断面図。
【発明を実施するための形態】
【００１６】
本発明の一実施形態に係るランチジャーについて図面を参照して説明する。図１（ａ）（ｂ）及び図２（ａ）乃至（ｄ）に示すように、本実施形態のランチジャー１は、断熱構造を有し平面視形状が円形の上部開口２０を有する容器本体２と、容器本体２の上部開口２０を施蓋する蓋本体３と、容器本体２内に収納される内容器４と、を備える。内容器４は、上部開口を有する内容器本体４１と、内容器本体４１を施蓋する内蓋４２と、を有する（図１（ｂ）参照）。
【００１７】
ランチジャー１は、蓋本体３に後述する持ち手部３３が設けられており、本例では、持ち手部３３が円弧形状に確認できる視点を正面視とし（図２（ａ）参照）、容器本体２に蓋本体３を施蓋したときの外観は、正面及び背面が同形状であり、右側面及び左側面も同形状である（図２（ｂ）参照）。ランチジャー１は、全体的に丸みを帯びた形状となっている。ランチジャー１の平面視及び底面視の外観は、円形状である（図２（ｃ）（ｄ））。
【００１８】
図３（ａ）（ｂ）に示すように、蓋本体３は、外装側に現れる湾曲した上蓋部３１と、上蓋部３１から下方に延設されて容器本体２と内容器４との間に差し込まれる筒状部３２と、を有する。また、蓋本体３は、上蓋部３１と一体成型された持ち手部３３を有する。蓋本体３は、プラスチック製であり、例えば、ランチジャーとして要求される耐久性と耐熱性を有する樹脂材料により成型されている。本例では、上蓋部３１と筒状部３２とは、別体として成型され、接着により互いに固定されているが、それらが一体成型されていてもよい。
【００１９】
上蓋部３１の外形は、上面が緩やかに上方に凸形状の湾曲面になっており、上面の外縁に連続する側面は、上面に比べるとＲの小さな湾曲面であり、側面の下端部においても鉛直面には至らない傾斜面となっている。持ち手部３３は、正面視で円弧形状であり、持ち手部３３の側面が、上蓋部３１の側面と連続している。持ち手部３３の断面（後述する図６も参照）は、使用者の手にフィットする楕円形状である。
【００２０】
筒状部３２は、上蓋部３１の側面下端部よりも外径が小さく、その高さは、上蓋部３１の高さ（持ち手部３３を除く）と概ね等しい。蓋本体３を容器本体２に施蓋したとき、筒状部３２は容器本体２内に隠れるので、外観上、蓋本体３としては、上蓋部３１と持ち手部３３のみが現れることになる。また、筒状部３２は、鉛直面を成す外周面に、螺旋状のネジきり（ヘリコイド３４）が設けられている。ヘリコイド３４は、図例では、３回転以上の螺旋を示しているが、１回転以上あればよい。
【００２１】
上蓋部３１の内形は、外形に対応した上の凹な椀形状であり、筒状部３２の内周面と滑らかに連続している。これら上蓋部３１の内形及び筒状部３２の内周面によって、内容器４が収納される収納空間が形作られる（図３（ｂ）参照）。
【００２２】
図４（ａ）（ｂ）に示すように、内容器４は、内容器本体４１及び内蓋４２から成り、いずれもプラスチック製である。内容器本体４１の外周面のうち、上部開口の近傍は、外径がやや小さくなっており（図４（ｂ）参照）、内蓋４２の側面が外から被さるように、内蓋４２が施蓋される。内容器本体４１の外周面のうち、内蓋４２側面の内周面と対向する部分には、係合突起４３（図１（ｂ）参照）が設けられおり、内蓋４２側面の内周面に設けられた係合突起（不図示）と係合することで、内蓋４２が内容器本体４１に固定される。内蓋４２側面の内周面には、内蓋４２を回転させるときの滑り止めとなる凸条４４が設けられている。
【００２３】
内容器本体４１の外周面のうち、内容器本体４１の底面近傍に、鍔状に外側に突出した鍔状部４５が設けられている。鍔状部４５は、上鍔部４５ａ及び下鍔部４５ｂの２連の鍔から成り、上鍔部４５ａの外径が下鍔部４５ｂよりも、やや大きい。また、上鍔部４５ａの外径は、上蓋４２の外径や、後述する容器本体２の支持枠２４よりも大きい。上鍔部４５ａ及び下鍔部４５ｂの間には、パッキン４５ｃが装着される。内容器４が容器本体２に収納されるとき、パッキン４５ｃ及び上鍔部４５ａが、支持枠２４に当接する。容器本体２の支持枠２４より下方の空間が、内容器４によって蓋された状態となる。
【００２４】
内蓋４２は、その上面の外周縁が盛り上がる一方で、その内側が窪んでおり、小椀部４６が形成されている。蓋本体３の上蓋部３１の内形が上方に凹んだ椀形状なので、内容器４が容器本体２に収納された状態で蓋本体３が容器本体２に施蓋されたとき、蓋本体３と内蓋４２（小椀部４６）との間には、所定の収容空間が設けられる。この小椀部４６には、ソース等の調味料や保冷剤のパック等が好適に収容される。
【００２５】
図５（ａ）（ｂ）に示すように、容器本体２は、ステンレス製の真空二重壁を有する容器である。容器本体２は、上部開口２０を有すると共に内容器４の収容空間となる外筒部２１と、外筒部２１の下方に設けられ、米飯等が収容される下椀部２２と、を有する。
【００２６】
外筒部２１の外形は、下方から上方に向けて僅かに径が小さくなる緩やかな曲面となっている。外筒部２１の内周面には、蓋本体３の筒状部３２に設けられたヘリコイド３４（図３（ａ）参照）と螺合するヘリコイド２３が設けられている。容器本体２側のヘリコイド２３は、１回転以上の螺旋があればよい。また、外筒部２１の内周面のうち、ヘリコイド２３の下方には、内容器４を支持するための支持枠２４が設けられている。支持枠２４は、内容器４を容器本体２の底面から間隔を開けた位置で支持する。そのため、内容器４が容器本体２に収納されるとき、容器本体２の支持枠２４より下方の空間が、内容器４によって蓋された所定の収納空間となる。
【００２７】
下椀部２２は、高い保温性が得られるように、二重壁の間隔が最も厚くなっている。下椀部２２の外形は、外筒部２１に繋がる湾曲面２５と底面２６から成る。湾曲面２５の湾曲具合は、上蓋部３１の側面のＲよりやや小さなＲとなっている。なお、底面２６には、図示したように、ランチジャー１が載置されたときに滑り止めとなる突起が設けられていてもよい。
【００２８】
このように構成されたランチジャー１は、まず、容器本体２の下椀部２２に米飯等が収納され、惣菜等が収納された内容器４が、容器本体２に収められ、支持枠２４で支持される。次に、蓋本体３が容器本体２に施蓋されるとき、蓋本体３の筒状部３２が、容器本体の内周面と、上容器４（上蓋４２）の外周面との間に差し込まれる。そして、容器本体２と蓋本体３とは、容器本体２の内周面及び筒状部３２の外周面に夫々設けられたヘリコイド２３、３４により螺合する。
【００２９】
このとき、図６に示すように、筒状部３２の下端部が、内容器４の鍔状部４５（上鍔部４５ａ）の上縁に当接する。すなわち、蓋本体３が、容器本体２に螺合するとき、内容器４がランチジャー１内で動かないように固定する。これにより、内容器４が蓋となって、下椀部２２の内側の収納空間の密閉性を高めることができる。また、内容器４は、内蓋４２ではなく、内容器本体４１の下端部に設けられた鍔状部４５が押さえられるので、上蓋４２は蓋本体３で押さえられておらず、内蓋４２上の空間を広く確保することができる。なお、蓋本体３の閉まり具合や、パッキン４５ｃの弾性等により、筒状部３２の下端部と内容器４の鍔状部４５とが当接しない位置関係となることもあるが、筒状部３２により内容器４の移動が制限されるように互いの位置が定められればよい。
【００３０】
また、蓋本体３は、容器本体２に螺合させるためのヘリコイド３４が筒状部３２に設けられており、筒状部３２は、容器本体２内に差し込まれる。そのため、容器本体２に蓋本体３を施蓋した際に、蓋本体３の筒状部３２（側面部）は露出せず、上蓋部３１及び持ち手部３３のみが外観に現れる。上蓋部３１には、ヘリコイドを設けないので、丸みを帯びた優美な湾曲面を造形することができ、デザイン性の高いランチジャー１を得ることができる。
【００３１】
また、円弧形状の持ち手部３３の側面が、上蓋部３１の側面と連続しており、一昔前の電子ジャーを連想させるユニークなデザインとなっている。また、持ち手部３３が上蓋部３１と一体成型により強固に一体化されているので、使用者が持ち手部３３を強く持っても、持ち手部３３がグラつくこともなく、蓋本体３を着脱する際に安定する。更に、全体形状が円筒形状の一般的なランチジャーでは、手の小さな人にとっては、蓋本体を回す際に把持し難くなる一方、本施形態のランチジャー１では、持ち手部３３を持って蓋本体３を回すので、手の小さな人でも扱い易いという利点がある。
【００３２】
なお、本発明に係るランチジャーは、上記実施形態に限定されず種々の変形が可能である。例えば、ランチジャー１の縦横比は、図示したよう形状に限らず、より縦長のもの、又は横長のものであってもよい。また、ランチジャー１の外形形状は、必ずしも図示したような平面視で円形に限られず、例えば、楕円形であったり、角の丸みを帯びた矩形状等であってもよい。持ち手部３３のサイズや円弧の大きさ、形状等も適宜に改変し得る。
【符号の説明】
【００３３】
１  ランチジャー
２  容器本体
２０    上部開口
２３    ヘリコイド
２４    支持枠
３  蓋本体
３１  上蓋部
３２  筒状部
３３  持ち手部
３４  ヘリコイド
４  内容器
４１  内容器本体
４２  内蓋
４５  鍔状部
【図１】
2022000387.tif 000003
【図２】
2022000387.tif 000004
【図３】
2022000387.tif 000005
【図４】
2022000387.tif 000006
【図５】
2022000387.tif 000007
【図６】
2022000387.tif 000008